(57)【要約】【課題】プラズマディスプレイモジュールを提供する。【解決手段】シャーシベース１５０、前記シャーシベース１５０の前方に支持されて画像が具現されるＰＤＰ１４０、前記シャーシベース１５０の後方に支持されてＰＤＰ１４０を駆動する複数の回路素子が搭載された回路基板、及び回路基板とＰＤＰ１４０とを電気的に連結するものであって、シャーシベース１５０に直接接地された配線を具備するプラズマディスプレイモジュール１０５。これにより、接地構造が改善されて安定した駆動が可能であり、多数の電装品が要求される高解像度画像の具現に適したディスプレイモジュールを提供しうる。【選択図】図２
2005122174.tif 000002
【特許請求の範囲】
【請求項１】
シャーシベースと、
前記シャーシベースの前方に支持され、画像が具現されるプラズマディスプレイパネルと、
前記シャーシベースの後方に支持され、前記プラズマディスプレイパネルを駆動する複数の回路素子が搭載された回路基板と、
前記回路基板及びプラズマディスプレイパネルを電気的に接続するものであって、前記シャーシベースに直接接地された配線と、
を備えたことを特徴とするプラズマディスプレイモジュール。
【請求項２】
前記回路基板及びプラズマディスプレイパネルを連結する配線はＦＰＣであることを特徴とする請求項１に記載のプラズマディスプレイモジュール。
【請求項３】
前記配線の接地ラインは加圧手段により前記シャーシベースに密着されたことを特徴とする請求項１に記載のプラズマディスプレイモジュール。
【請求項４】
前記配線には貫通孔が形成され、前記シャーシベースには結合孔が形成され、前記加圧手段は前記貫通孔を通じて結合孔に結合されたカプラーであることを特徴とする請求項３に記載のプラズマディスプレイモジュール。
【請求項５】
前記加圧手段は突起が形成された板材であることを特徴とする請求項３に記載のプラズマディスプレイモジュール。
【発明の詳細な説明】
【技術分野】
【０００１】
本発明はプラズマディスプレイモジュールに係り、改善された接地構造を備えたプラズマディスプレイモジュールに関する。
【背景技術】
【０００２】
前記プラズマディスプレイモジュールは、ガス放電現象を用いて画像を表示する平板表示モジュールであって、表示容量、輝度、コントラスト、残像及び視野角など各種の表示能力に優れ、薄型でかつ大画面表示が可能なＣＲＴを代えられる次世代平板表示モジュールとして脚光を浴びている。
【０００３】
前記プラズマディスプレイモジュールは、画像が具現されるプラズマディスプレイパネル（ＰＤＰ）及び前記ＰＤＰに対向して配置されるシャーシベースを含む。
【０００４】
前記ＰＤＰは、前面パネル及び背面パネルが接合されて備えられるが、前面パネル及び背面パネルは各々複数の放電維持電極対及び複数のアドレス電極を含み、これら電極間には放電セルが備えられる。
【０００５】
前述したように構成されたプラズマディスプレイモジュールは、放電セルに選択的に放電を実行させることによって、画像を具現する。このために、前記シャーシベースには制御された信号を発生させる回路素子が搭載された回路基板が装着され、回路素子で発生した信号は配線、例えば、ＦＰＣ（Ｆｌｅｘｉｂｌｅ  Ｐｒｉｎｔｅｄ  Ｃｉｒｃｕｉｔ）を通じてパネル電極に伝達される。
【０００６】
ところが、パネル電極に正確な駆動信号が安定的に印加されるためには、前述したような信号の発生及び伝達の回路網で基準電圧（接地ライン電圧）が一定に保持されねばならない。
【０００７】
従来の技術によれば、配線の接地ラインが回路基板のグラウンド領域に電気的に接続され、回路基板のグラウンド領域はシャーシベースに接地されることによって、配線が回路基板を通じてシャーシベースに間接的に接地される構造を有する。
【発明の開示】
【発明が解決しようとする課題】
【０００８】
しかしながら、これによれば、配線の接地が回路基板を通じてなされることによって、基準電圧ラインの長さが延び、ライン自体の抵抗が増加し、かつ装置内外部で発生するノイズに脆弱になって、基準電圧を一定に保てないという問題が発生する。また、接地構造の複雑さによって、接地の安定性が低下し、外部の衝撃や振動により接地不良が発生してしまうという問題がある。特に、最近、放電セルが高精細化される傾向があるので、さらに多くの回路素子及び配線の装着が要求されているところ、前記問題を解決するための接地構造の改善がさらに要請される。
【０００９】
本発明は前記問題点を解決するために創出されたものであって、安定した駆動のために改善された接地構造を備えたプラズマディスプレイモジュールを提供するところにその目的がある。
【００１０】
また、本発明の他の目的は、高解像度に適したプラズマディスプレイモジュールを提供することである。
【課題を解決するための手段】
【００１１】
前記目的及び他の目的を達成するために、本発明のプラズマディスプレイモジュールは、シャーシベースと、前記シャーシベースの前方に支持され、画像が具現されるＰＤＰと、前記シャーシベースの後方に支持され、前記ＰＤＰを駆動する複数の回路素子が搭載された回路基板と、前記回路基板及びＰＤＰを電気的に連結するものであって、前記シャーシベースに直接接地された配線と、を含む。
【００１２】
ここで、前記回路基板及びＰＤＰを連結する配線はＦＰＣで有り得、前記配線の接地ラインは加圧手段により前記シャーシベースに密着されうる。前記配線には貫通孔が形成され、前記シャーシベースには結合孔が形成され、前記加圧手段は前記貫通孔を通じて結合孔に結合されたカプラーで有り得る。また、前記加圧手段は突起が形成された板材で有り得る。
【発明の効果】
【００１３】
本発明のプラズマディスプレイモジュールによれば、回路基板及びパネル電極を接続する配線の接地ラインがシャーシベースに直接接地されることによって、基準電圧ラインの延びに伴うライン自体の抵抗及び装置内外部で発生するノイズの効果を相殺して基準電圧を一定に保つ。  
また、接地構造を単純化して接地の安定性を向上させ、よって、外部の衝撃や振動などによる接地不良を防止する。したがって、本発明によれば、パネル電極に正確な信号を安定的に印加させることによって、所望の画像を円滑に具現しうる。  
特に、本発明によれば、十分な接地効果を収得することによって、各種回路素子及び配線を安定的に作動させるところ、高解像度、高品質の画像具現に適したディスプレイモジュールを提供しうる。
【発明を実施するための最良の形態】
【００１４】
以下、添付した図面に基づいて本発明の望ましい実施例を詳細に説明する。
【実施例１】
【００１５】
図１は、本発明の第１実施例に係るプラズマディスプレイモジュールを含むプラズマディスプレイ装置の分解斜視図であり、図２は、図１に示すプラズマディスプレイモジュールの接地構造を示す斜視図である。また、図３は、図２のプラズマディスプレイモジュールを示す図面であって、図２のＡ−Ａ線の断面図である。
【００１６】
図１を参照すれば、本発明のプラズマディスプレイモジュール１０５はフロントキャビネット１１０及びバックカバー１７０に収容されてプラズマディスプレイ装置１０１を構成する。
【００１７】
前記プラズマディスプレイモジュール１０５はＰＤＰ１４０と、シャーシベース１５０及び回路部１６０を含む。前記ＰＤＰ１４０は前面パネル１２０及び前記前面パネル１２０に対向して接合される背面パネル１３０を含む。ガラス材質よりなるＰＤＰ１４０は放電現象を用いて画像を具現する画像表示部となり、このために前記前面パネル１２０及び背面パネル１３０には各々複数の放電維持電極対（図示せず）及び複数のアドレス電極（図示せず）が一定のパターンで形成される。このようなパネル電極には回路基板１６６と連結された配線１６１を通じて制御された信号が印加される。
【００１８】
前記シャーシベース１５０はＰＤＰ１４０及び回路部１６０の放熱を促進する放熱板の役割を行い、広い面積を備えて基準電圧領域を形成する。このために、シャーシベース１５０は熱及び導電性に優れた、例えば、アルミニウムのような素材よりなる。前記シャーシベース１５０はダイキャスティングまたはプレス加工で製造されうる。
【００１９】
前記シャーシベース１５０の後方にはＰＤＰ１４０を駆動する回路部１６０が設けられる。前記回路部１６０はディスプレイパネル１４０の電極に制御された信号を印加する多数の回路素子１６５が搭載された回路基板１６６及び各種配線などを含む。ここで、パネル電極と回路基板１６６とを連結する配線１６１として、ＦＰＣが用いられる。
【００２０】
前記配線１６１は、図３に示されたように、ベースフィルム１６１ａ、例えば、ポリイミドフィルムの下面に接着剤層１６１ｂ及びパターンが形成された銅箔層１６１ｃが順次に積層され、次いで、ＳＲ層（Ｓｏｌｄｅｒ  Ｒｅｓｉｓｔ）１６１ｄが形成された積層体構造よりなりうる。
【００２１】
前述したように構成されるプラズマディスプレイモジュール１０５において、本発明の一特徴によれば、前記回路基板１６６及びＰＤＰ１４０を連結する配線１６１の接地ライン１６２はシャーシベース１５０に直接接地される。図２及び図３を参照すれば、前記配線１６１の両側に形成された接地ライン１６２は接地の安定性を向上させるために広い面積を有するように形成されうる。
【００２２】
また、図３から分かるように、前記接地ライン１６２はその下部に配線１６１のＳＲ層１６１ｄなどの保護層が形成されず、外部に露出される。このような露出部位を通じて配線１６１の接地ライン１６２はシャーシベース１５０に直接接地される。ここで、前記接地ライン１６２は加圧手段１６３によりシャーシベース１５０に加圧接触されるが、前記加圧手段１６３はカプラー、例えば、スクリュで備えられ得る。また、配線１６１には貫通孔１６１’が形成され、シャーシベースには結合孔（図示せず）が形成され、加圧手段１６３が前記貫通孔１６１’を通じて結合孔に螺合されることによって、接地ライン１６２がシャーシベース１５０に密着される。
【００２３】
図２に示されたように、前記配線１６１の貫通孔１６１’が接地ライン１６２に形成されれば、加圧手段１６３の密着力を受ける接地ライン１６２はさらに効率よくシャーシベース１５０に加圧接触されうる。
【００２４】
このように、配線１６１の接地ライン１６２がシャーシベース１５０に直接接地されることによって、基準電圧ラインの自体抵抗による電圧変化及びモジュールの内外部で発生する電磁波等によるノイズの影響が減少し、基準電圧が一定に保持されうる。これを通じてパネル１４０電極に正確な信号が安定的に印加され、よって、所望の画像が円滑に具現されうる。
【００２５】
また、配線１６１の接地ライン１６２が回路基板１６６を介さずに、シャーシベース１５０に直接接地される単純な接地構造を備えることによって、その安定性が向上し、外部の衝撃や振動にも拘らず安定したモジュール１０５の駆動が可能となる。
【００２６】
図面では接地ライン１６２が配線１６１の両側に形成されているが、これは説明の便宜のためのもに過ぎず、接地ライン１６２の形成位置がこれに限定されないことは言うまでもない。
【実施例２】
【００２７】
図４は、本発明の第２実施例で採用可能なプラズマディスプレイモジュールを示す斜視図であり、図５は、図４のプラズマディスプレイモジュールを示すＢ−Ｂ線の断面図である。本実施例のプラズマディスプレイモジュール１０５は第１実施例のプラズマディスプレイモジュールと後述する技術的事項を除いては事実上同じ作用を果たす同じ構成要素を備える。
【００２８】
図４及び図５を参照すれば、配線２６１の両側に形成された接地ライン２６２は露出部位を通じて直接シャーシベース２５０に接地される。ここで、前記配線２６１及びシャーシベース２５０は加圧手段２６３により加圧接触されるが、前記加圧手段２６３は突起２６３’が形成された板材よりなりうる。このような突起２６３’は接地ライン２６２の対応部位に形成されて接地ライン２６２をシャーシベース２５０側に効率よく加圧する。
【００２９】
また、前記加圧手段２６３は、図４に示されたように、複数の配線２６１を共に加圧するように拡張して備えられうる。前記加圧手段２６３はその両側に形成された固定孔２６３”を通過して結合孔２５１に螺合されるスクリュ２６４によりシャーシベース２５０と結合されうる。
【００３０】
このような接地構造を備えることによって、配線２６１に個別的に貫通孔１６１’（図２参照）を形成する必要がなく、また、締結作業の工数が減少して作業性及び生産効率性が向上しうる。
【００３１】
その他、前面パネル２２０及び背面パネル２３０を含むＰＤＰ２４０と、回路素子２６５及び回路基板２６６を含む回路部２６０、ベースフィルム２６１ａ、接着剤層２６１ｂ、銅箔層２６１ｃ、及びＳＲ層２６１ｄを含む配線２６１に関する事項は第１実施例で説明された事項と同一または類似している。
【００３２】
前述したような本発明のプラズマディスプレイモジュールにおいて、配線にはパネル電極に信号を印加する駆動素子が直接実装されうるが、前述した本発明の実質的な特徴は、この場合にも同一に適用されうることは言うまでもない。
【００３３】
本発明は添付した図面に示された実施例に基づいて説明されたが、これは例示的なものに過ぎず、当業者ならばこれより多様な変形及び均等な他の実施例が可能である点を理解できるであろう。従って、本発明の真の保護範囲は特許請求の範囲によって決まるべきである。
【産業上の利用可能性】
【００３４】
本発明のプラズマディスプレイモジュールは、ガス放電現象を用いて画像を表示する改善された平板表示モジュールとして好適に利用されうる。
【図面の簡単な説明】
【００３５】
【図１】本発明の第１実施例に係るプラズマディスプレイモジュールを含むプラズマディスプレイ装置を示す分解斜視図である。
【図２】図１に示すプラズマディスプレイモジュールの接地構造を示す斜視図である。
【図３】図２のプラズマディスプレイモジュールを示す図面であって、図２のＡ−Ａ線の断面図である。
【図４】本発明の第２実施例に係るプラズマディスプレイモジュールを示す斜視図である。
【図５】図４のプラズマディスプレイモジュールを示す図面であって、図４のＢ−Ｂ線の断面図である。
【符号の説明】
【００３６】
１０１  プラズマディスプレイ装置
１０５、２０５  プラズマディスプレイモジュール
１１０、２１０  フロントキャビネット
１２０、２２０  前面パネル
１３０、２３０  背面パネル
１４０、２４０  ＰＤＰ
１５０、２５０  シャーシベース
１６０、２６０  回路部
１６１、２６１  配線
１６１’  貫通孔
１６１ａ、２６１ａ  ベースフィルム
１６１ｂ、２６１ｂ  接着剤層
１６１ｃ、２６１ｃ  銅箔層
１６１ｄ、２６１ｄ  ＳＲ層
１６２、２６２  接地ライン
１６３、２６３  加圧手段
２６３’  突起
２６３”  固定孔
２６４  スクリュ
１６５、２６５  回路素子
１６６、２６６  回路基板
【図１】
2005122174.tif 000003
【図２】
2005122174.tif 000004
【図３】
2005122174.tif 000005
【図４】
2005122174.tif 000006
【図５】
2005122174.tif 000007